(57)【要約】【課題】  打球感と、ロングアイアンでのショットにおける飛距離とに優れたゴルフボールの提供。【解決手段】ゴルフボールは、コア、インナーカバー、メインカバー及びアウターカバーを有する。このゴルフボールは、その表面に複数のディンプル１２と、ランド１４とを有する。このゴルフボールはさらに、ディンプル１２及びランド１４の表面に形成された多数の微小突起１８を有する。ディンプル１２の平均深さＦavと微小突起１８の平均高さＨavとは、下記数式（３）を満たす。    Ｈav ＜Ｆav ・ ０．０５      （３）【選択図】図２
2019111165.tif 000002
【特許請求の範囲】
【請求項１】
コアと、このコアの外側に位置するインナーカバーと、このインナーカバーの外側に位置するメインカバーと、このメインカバーの外側に位置するアウターカバーとを備えており、
上記メインカバーにおける厚みＴ２（ｍｍ）とショアＣ硬度Ｈ２との積ＴＨ２、及び上記コアにおける半径（ｍｍ）の５％の値と表面のショアＣ硬度Ｈｓとの積ＴＨｓが、下記の数式を満たし、
１５≦ （ＴＨ２−ＴＨｓ） ≦ １００
上記インナーカバーにおける厚みＴ１（ｍｍ）とショアＣ硬度Ｈ１との積ＴＨ１、上記アウターカバーにおける厚みＴ３（ｍｍ）とショアＣ硬度Ｈ３との積ＴＨ３、及び上記積ＴＨ２が、下記数式を満たし、
０．２５ ＜ （（ＴＨ１ ＋ ＴＨ３） ／ ２） ／ ＴＨ２ ＜０．６５
複数のディンプルと、ランドと、このディンプル及び／又はランドの表面に形成された多数の微小突起をさらに備えており、
上記ディンプルの平均深さＦavと上記微小突起の平均高さＨavとが、下記数式（３）を満たすゴルフボール。
Ｈav ＜Ｆav ・ ０．０５      （３）
【請求項２】
上記厚みＴ２が、上記厚みＴ１と同じかこれよりも大きく、
かつ、上記厚みＴ２が、上記厚みＴ３と同じかこれよりも大きい請求項１に記載のゴルフボール。
【請求項３】
上記厚みＴ２が１．００ｍｍ以上である請求項１又は２に記載のゴルフボール。
【請求項４】
上記厚みＴ１が１．００ｍｍ以下であり、かつ上記厚みＴ３が１．００ｍｍ以下である請求項１から３のいずれかに記載のゴルフボール。
【請求項５】
上記硬度Ｈ２が９０以上である請求項１から４のいずれかに記載のゴルフボール。
【請求項６】
上記硬度Ｈ１が７０以下であり、かつ上記硬度Ｈ３が７０以下である請求項１から５のいずれかに記載のゴルフボール。
【請求項７】
上記微小突起とこの微小突起に隣接する他の微小突起との間のピッチＰの平均値Ｐavが１０μｍ以上２０００μｍ以下である請求項１から６のいずれかに記載のゴルフボール。
【請求項８】
上記ディンプルの平均面積Ｓavと上記微小突起の底面の平均面積Ｑavとが、下記数式（４）を満たす請求項１から７のいずれかに記載のゴルフボール。
Ｑav ＜Ｓav ・ ０．０１５      （４）
【請求項９】
本体とこの本体の外側に位置するペイント層とを有しており、
上記微小突起が上記本体の表面形状が反映された形状を有する請求項１から８のいずれかに記載のゴルフボール。
【発明の詳細な説明】
【技術分野】
【０００１】
本発明は、ゴルフボールに関する。詳細には、本発明は、コア、インナーカバー、メインカバー、アウターカバー及びディンプルを有するゴルフボールに関する。
【背景技術】
【０００２】
ゴルフボールに対するゴルフプレーヤーの最大の関心事は、飛距離である。大きな飛距離が得られるゴルフボールは、好スコアに寄与しうる。
【０００３】
特開２０１３−９９１６公報には、コアとカバーとを有するゴルフボールが開示されている。このコアは、カルボン酸塩を含むゴム組成物が架橋されることで形成されている。このコアは、大きな飛距離に寄与しうる。
【０００４】
特開２０１３−２４８２６２公報には、コア、インナーカバー及びアウターカバーを有するゴルフボールが開示されている。このコアは、直線的な硬度分布を有する。このコアは、大きな飛距離に寄与しうる。
【０００５】
ゴルフクラブのフェースは、ロフト角を有している。このゴルフクラブでゴルフボールが打撃されると、ゴルフボールは、ロフト角に応じた打ち出し角度を伴って打ち出される。ゴルフボールにはさらに、ロフト角に起因するバックスピンが生じる。ゴルフボールは、バックスピンを伴って飛行する。
【０００６】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００７】
特開２０１５−１４２５９９公報には、粗さが大きな表面を有するゴルフボールが開示されている。この粗さは、ブラスト処理等によって形成されうる。この粗さは、ディンプルとの相乗効果により、ゴルフボールの空力特性を高める。
【０００８】
特開２０１１−７２７７６公報には、粒子を含む塗料によって形成されたコーティングを有するゴルフボールが開示されている。この粒子は、ディンプルとの相乗効果により、ゴルフボールの空力特性を高める。
【０００９】
特開平２−６８０７７号公報には、その底部に１つの凸部を有するディンプルを備えたゴルフボールが開示されている。この凸部を有するディンプルは、ゴルフボールの空力特性を高める。
【００１０】
ゴルフボールに対するゴルフプレーヤーの他の関心事は、打球感である。プレーヤーは概して、ソフトな打球感を好む。
【先行技術文献】
【特許文献】
【００１１】
【特許文献１】特開２０１３−９９１６公報
【特許文献２】特開２０１３−２４８２６２公報
【特許文献３】特開２０１５−１４２５９９公報
【特許文献４】特開２０１１−７２７７６公報
【特許文献５】特開平２−６８０７７号公報
【発明の概要】
【発明が解決しようとする課題】
【００１２】
ゴルフプレーヤーは、飛行性能のさらなる向上を望んでいる。スイングスピードの速いプレーヤーは、特に、ロングアイアンで打撃されたときの飛距離に優れたゴルフボールを求めている。
【００１３】
本発明の目的は、打球感と、ロングアイアンでの打撃されたときの飛距離とに優れたゴルフボールの提供にある。
【課題を解決するための手段】
【００１４】
本発明に係るゴルフボールは、コアと、このコアの外側に位置するインナーカバーと、このインナーカバーの外側に位置するメインカバーと、このメインカバーの外側に位置するアウターカバーとを有する。このメインカバーにおける厚みＴ２（ｍｍ）とショアＣ硬度Ｈ２との積ＴＨ２、及びコアにおける半径（ｍｍ）の５％の値と表面のショアＣ硬度Ｈｓとの積ＴＨｓは、下記の数式（１）を満たす。
１５≦ （ＴＨ２−ＴＨｓ） ≦ １００      （１）
インナーカバーにおける厚みＴ１（ｍｍ）とショアＣ硬度Ｈ１との積ＴＨ１、アウターカバーにおける厚みＴ３（ｍｍ）とショアＣ硬度Ｈ３との積ＴＨ３、及び積ＴＨ２は、下記数式（２）を満たす。
０．２５ ＜ （（ＴＨ１ ＋ ＴＨ３） ／ ２） ／ ＴＨ２ ＜０．６５      （２）
このゴルフボールは、複数のディンプルと、ランドと、このディンプル及び／又はランドの表面に形成された多数の微小突起をさらに有する。ディンプルの平均深さＦavと微小突起の平均高さＨavとは、下記数式（３）を満たすゴルフボール。
Ｈav ＜Ｆav ・ ０．０５      （３）
【００１５】
好ましくは、厚みＴ２は、厚みＴ１と同じかこれよりも大きい。好ましくは、厚みＴ２は、厚みＴ３と同じかこれよりも大きい。
【００１６】
好ましくは、厚みＴ２は、１．００ｍｍ以上である。好ましくは、厚みＴ１は１．００ｍｍ以下である。好ましくは、厚みＴ３は、１．００ｍｍ以下である。
【００１７】
好ましくは、硬度Ｈ２は、９０以上である。好ましくは、硬度Ｈ１は、７０以下である。好ましくは、硬度Ｈ３は、７０以下である。
【００１８】
好ましくは、ある微小突起とこの微小突起に隣接する他の微小突起との間のピッチＰの平均値Ｐavは、１０μｍ以上２０００μｍ以下である。
【００１９】
好ましくは、ディンプルの平均面積Ｓavと微小突起の底面の平均面積Ｑavとは、下記数式（４）を満たす。
Ｑav ＜Ｓav ・ ０．０１５      （４）
【００２０】
ゴルフボールが、本体とこの本体の外側に位置するペイント層とを有してもよい。好ましくは、微小突起は、本体の表面形状が反映された形状を有する。
【発明の効果】
【００２１】
本発明に係るゴルフボールのメインカバーでは、厚みＴ２とショアＣ硬度Ｈ２との積ＴＨ２が大きい。このメインカバーは、ゴルフボールの反発性能に寄与する。このメインカバーはさらに、ロングアイアンで打撃されたときのスピンを抑制しうる。優れた反発性能と、抑制されたスピンとは、ロングアイアンで打撃されたときの大きな飛距離を達成する。
【００２２】
このゴルフボールでは、インナーカバー及びアウターカバーがメインカバーを挟んでいるので、ソフトな打球感が達成される。換言すれば、インナーカバー及びアウターカバーが、メインカバーの欠点を補う。
【００２３】
このゴルフボールでは、微小突起が揚力を抑制する。アウターカバーはスピン速度を高めるが、微小突起が揚力を抑制するので、ロングアイアンでのショットにおいて、ゴルフボールのホップが抑制される。従って、大きな飛距離が達成される。換言すれば、微小突起がアウターカバーの欠点を補う。
【００２４】
このゴルフボールは、打球感と、ロングアイアンで打撃されたときの飛距離とに優れる。
【図面の簡単な説明】
【００２５】
【図１】図１は、本発明の一実施形態に係るゴルフボールが示された模式的断面図である。
【図２】図２は、図１のゴルフボールの一部が示された拡大断面図である。
【図３】図３は、図１のゴルフボールの表面の一部が示された拡大斜視図である。
【図４】図４は、図１のゴルフボールの一部が示された拡大断面図である。
【図５】図５は、図４のＶ−Ｖ線に沿った断面図である。
【発明を実施するための形態】
【００２６】
以下、適宜図面が参照されつつ、好ましい実施形態に基づいて本発明が詳細に説明される。
【００２７】
図１に示されたゴルフボール２は、球状のコア４と、このコア４の外側に位置するインナーカバー６と、このインナーカバー６の外側に位置するメインカバー８と、このメインカバー８の外側に位置するアウターカバー１０とを有している。このゴルフボール２は、その表面に複数のディンプル１２を有している。ゴルフボール２の表面のうちディンプル１２以外の部分は、ランド１４である。このゴルフボール２は、カバーの外側にペイント層及びマーク層を備えているが、これらの層の図示は省略されている。
【００２８】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。
【００２９】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００３０】
コア４は、ゴム組成物が架橋されることで形成されている。好ましい基材ゴムとして、ポリブタジエン、ポリイソプレン、スチレン−ブタジエン共重合体、エチレン−プロピレン−ジエン共重合体及び天然ゴムが例示される。ロングアイアンで打撃されたときの飛距離の観点から、ポリブタジエンが好ましい。ポリブタジエンと他のゴムとが併用される場合、ポリブタジエンが主成分であることが好ましい。具体的には、全基材ゴムに対するポリブタジエンの比率は、５０質量％以上が好ましく、８０質量％以上が特に好ましい。シス−１，４結合の比率が８０％以上であるポリブタジエンが、特に好ましい。
【００３１】
コア４のゴム組成物は、好ましくは、共架橋剤を含む。ゴルフボール２の耐久性及び反発性能の観点から好ましい共架橋剤は、炭素数が２から８であるα，β−不飽和カルボン酸の、１価又は２価の金属塩である。好ましい共架橋剤として、アクリル酸亜鉛、アクリル酸マグネシウム、メタクリル酸亜鉛及びメタクリル酸マグネシウムが例示される。ゴルフボール２の耐久性の観点、及びゴルフボール２がロングアイアンで打撃されたときの飛距離の観点から、アクリル酸亜鉛及びメタクリル酸亜鉛が特に好ましい。
【００３２】
ゴム組成物が、炭素数が２から８であるα，β−不飽和カルボン酸と、酸化金属とを含んでもよい。両者はゴム組成物中で反応し、塩が得られる。この塩が、共架橋剤として機能する。好ましいα，β−不飽和カルボン酸として、アクリル酸及びメタクリル酸が挙げられる。好ましい酸化金属として、酸化亜鉛及び酸化マグネシウムが挙げられる。
【００３３】
共架橋剤の量は、基材ゴム１００質量部に対して１０質量部以上４５質量部以下が好ましい。この量が１０質量部以上であるゴルフボール２は、反発性能に優れる。この観点から、この量は１５質量部以上がより好ましく、２０質量部以上が特に好ましい。この量が４５質量部以上であるゴルフボール２は、打球感に優れる。この観点から、この量は４０質量部以下がより好ましく、３５質量部以下が特に好ましい。
【００３４】
好ましくは、コア４のゴム組成物は、有機過酸化物を含む。有機過酸化物は、架橋開始剤として機能する。有機過酸化物は、ゴルフボール２の耐久性に寄与し、かつゴルフボールがロングアイアンで打撃されたときの飛距離に寄与する。好適な有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが例示される。特に汎用性の高い有機過酸化物は、ジクミルパーオキサイドである。
【００３５】
有機過酸化物の量は、基材ゴム１００質量部に対して０．１質量部以上３．０質量部以下が好ましい。この量が０．１質量部以上であるゴルフボール２は、反発性能に優れる。この観点から、この量は０．３質量部以上がより好ましく、０．５質量部以上が特に好ましい。この量が３．０質量部以下であるゴルフボール２は、打球感に優れる。この観点から、この量は２．５質量部以下がより好ましく、２．０質量部以下が特に好ましい。
【００３６】
好ましくは、コア４のゴム組成物は、有機硫黄化合物を含む。有機硫黄化合物は、ゴルフボール２がロングアイアンで打撃されたときの飛距離に寄与する。有機硫黄化合物には、ナフタレンチオール系化合物、ベンゼンチオール系化合物及びジスルフィド系化合物が含まれる。
【００３７】
ナフタレンチオール系化合物として、１−ナフタレンチオール、２−ナフタレンチオール、４−クロロ−１−ナフタレンチオール、４−ブロモ−１−ナフタレンチオール、１−クロロ−２−ナフタレンチオール、１−ブロモ−２−ナフタレンチオール、１−フルオロ−２−ナフタレンチオール、１−シアノ−２−ナフタレンチオール及び１−アセチル−２−ナフタレンチオールが例示される。
【００３８】
ベンゼンチオール系化合物として、ベンゼンチオール、４−クロロベンゼンチオール、３−クロロベンゼンチオール、４−ブロモベンゼンチオール、３−ブロモベンゼンチオール、４−フルオロベンゼンチオール、４−ヨードベンゼンチオール、２，５−ジクロロベンゼンチオール、３，５−ジクロロベンゼンチオール、２，６−ジクロロベンゼンチオール、２，５−ジブロモベンゼンチオール、３，５−ジブロモベンゼンチオール、２−クロロ−５−ブロモベンゼンチオール、２，４，６−トリクロロベンゼンチオール、２，３，４，５，６−ペンタクロロベンゼンチオール、２，３，４，５，６−ペンタフルオロベンゼンチオール、４−シアノベンゼンチオール、２−シアノベンゼンチオール、４−ニトロベンゼンチオール及び２−ニトロベンゼンチオールが例示される。
【００３９】
ジスルフィド系化合物として、ジフェニルジスルフィド、ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド、ビス（４−シアノフェニル）ジスルフィド、ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィド、ビス（２，４，６−トリクロロフェニル）ジスルフィド、ビス（２−シアノ−４−クロロ−６−ブロモフェニル）ジスルフィド、ビス（２，３，５，６−テトラクロロフェニル）ジスルフィド、ビス（２，３，４，５，６−ペンタクロロフェニル）ジスルフィド及びビス（２，３，４，５，６−ペンタブロモフェニル）ジスルフィドが例示される。
【００４０】
反発性能の観点から、有機硫黄化合物の量は、基材ゴム１００質量部に対して０．１質量部以上が好ましく、０．２質量部以上がより好ましく、０．３質量部以上が特に好ましい。ソフトな打球感の観点から、この量は１．５質量部以下が好ましく、１．０質量部以下がより好ましく、０．８質量部以下が特に好ましい。２以上の有機硫黄化合物が、併用されてもよい。
【００４１】
好ましくは、コア４のゴム組成物は、カルボン酸又はカルボン酸塩を含む。カルボン酸及びカルボン酸塩は、コア４の硬度分布の適正化に寄与しうる。好ましいカルボン酸として、安息香酸が挙げられる。好ましいカルボン酸塩として、オクタン酸亜鉛及びステアリン酸亜鉛が挙げられる。特に好ましい化合物は、安息香酸である。
【００４２】
カルボン酸及びカルボン酸塩の量は、基材ゴム１００質量部に対して０．５質量部以上が好ましく、０．８質量部以上がより好ましく、１．０質量部以上が特に好ましい。この量は、２０質量部以下が好ましく、１５質量部以下がより好ましく、１０質量部以下が特に好ましい。
【００４３】
コア４のゴム組成物が、比重調整等を目的とした充填剤を含んでもよい。好適な充填剤として、酸化亜鉛、硫酸バリウム、炭酸カルシウム及び炭酸マグネシウムが例示される。充填剤の量は、コア４の意図した比重が達成されるように適宜決定される。
【００４４】
コア４のゴム組成物が、硫黄、老化防止剤、着色剤、可塑剤、分散剤等の各種添加剤を適量含んでもよい。このゴム組成物が、架橋ゴム粉末又は合成樹脂粉末を含んでもよい。
【００４５】
コア４の直径は、３５．０ｍｍ以上４０．５ｍｍ以下が好ましい。直径が３５．０ｍｍ以上であるコア４を有するゴルフボール２は、反発性能に優れる。この観点から、直径は３６．０ｍｍ以上がより好ましく、３６．５ｍｍ以上が特に好ましい。直径が４０．５ｍｍ以下であるコア４を有するゴルフボール２は、耐久性に優れる。この観点から、直径は３９．５ｍｍ以下がより好ましく、３９．０ｍｍ以下が特に好ましい。
【００４６】
コア４の中心の硬度Ｈｏは、３５以上７０以下が好ましい。硬度Ｈｏが３５以上であるゴルフボール２は、反発性能に優れる。この観点から、硬度Ｈｏは４０以上がより好ましく、４５以上が特に好ましい。硬度Ｈｏが７０以下であるゴルフボール２は、打球感に優れる。この観点から、硬度Ｈｏは６５以下がより好ましく、６０以下が特に好ましい。
【００４７】
硬度Ｈｏは、自動硬度計（Ｈ．バーレイス社の商品名「デジテストII」）に取り付けられたショアＣ型硬度計によって測定される。この硬度計が、ゴルフボール２が切断されて得られる半球の断面中心に押しつけられる。測定は、２３℃の環境下でなされる。
【００４８】
コア４の表面の硬度Ｈｓは、５５以上９５以下が好ましい。硬度Ｈｓが５５以上であるゴルフボール２は、反発性能に優れる。この観点から、硬度Ｈｓは６０以上がより好ましく、６５以上が特に好ましい。硬度Ｈｓが９５以下であるゴルフボール２は、打球感に優れる。この観点から、硬度Ｈｓは９０以下がより好ましく、８５以下が特に好ましい。
【００４９】
硬度Ｈｓは、自動硬度計（Ｈ．バーレイス社の商品名「デジテストII」）に取り付けられたショアＣ型硬度計によって測定される。この硬度計が、コア４の表面に押しつけられる。測定は、２３℃の環境下でなされる。
【００５０】
コア４における半径（ｍｍ）の５％の値と、表面のショアＣ硬度Ｈｓとの積ＴＨｓは、５５以上９０以下が好ましい。積ＴＨｓが５５以上であるゴルフボール２は、反発性能に優れる。このゴルフボールは、ロングアイアンで打撃されたときの飛距離に優れる。この観点から、積ＴＨｓは６０以上がより好ましく、６５以上が特に好ましい。積ＴＨｓが９０以下であるゴルフボール２は、打球感に優れる。この観点から、積ＴＨｓは８５以下がより好ましく、８０以下が特に好ましい。
【００５１】
コア４の質量は、１０ｇ以上４２ｇ以下が好ましい。コア４の架橋温度は、１４０℃以上１８０℃以下である。コア４の架橋時間は、１０分以上６０分以下である。
【００５２】
インナーカバー６は、コア４の外側に位置している。インナーカバー６は、熱可塑性樹脂組成物から成形されている。この樹脂組成物の基材ポリマーとして、アイオノマー樹脂、熱可塑性ポリエステルエラストマー、熱可塑性ポリアミドエラストマー、熱可塑性ポリウレタンエラストマー、熱可塑性ポリオレフィンエラストマー及び熱可塑性ポリスチレンエラストマーが例示される。特に、アイオノマー樹脂が好ましい。アイオノマー樹脂は、高弾性である。アイオノマー樹脂を含むインナーカバー６を有するゴルフボール２は、反発性能に優れる。このゴルフボール２は、ロングアイアンで打撃されたときの飛距離に優れる。
【００５３】
アイオノマー樹脂と他の樹脂とが併用されてもよい。併用される場合は、反発性能の観点から、アイオノマー樹脂が基材ポリマーの主成分とされる。全基材ポリマーに対するアイオノマー樹脂の比率は、５０質量％以上が好ましい。
【００５４】
好ましいアイオノマー樹脂として、α−オレフィンと炭素数が３以上８以下のα，β−不飽和カルボン酸との二元共重合体が挙げられる。好ましい二元共重合体は、８０質量％以上９０質量％以下のα−オレフィンと、１０質量％以上２０質量％以下のα，β−不飽和カルボン酸とを含む。この二元共重合体は、反発性能に優れる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。好ましい三元共重合体は、７０質量％以上８５質量％以下のα−オレフィンと、５質量％以上３０質量％以下のα，β−不飽和カルボン酸と、１質量％以上２５質量％以下のα，β−不飽和カルボン酸エステルとを含む。この三元共重合体は、反発性能に優れる。二元共重合体及び三元共重合体において、好ましいα−オレフィンはエチレン及びプロピレンであり、好ましいα，β−不飽和カルボン酸はアクリル酸及びメタクリル酸である。特に好ましいアイオノマー樹脂は、エチレンとアクリル酸との共重合体である。特に好ましい他のアイオノマー樹脂は、エチレンとメタクリル酸との共重合体である。
【００５５】
二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００５６】
アイオノマー樹脂の具体例として、三井デュポンポリケミカル社の商品名「ハイミラン１５５５」、「ハイミラン１５５７」、「ハイミラン１６０５」、「ハイミラン１７０６」、「ハイミラン１７０７」、「ハイミラン１８５６」、「ハイミラン１８５５」、「ハイミランＡＭ７３１１」、「ハイミランＡＭ７３１５」、「ハイミランＡＭ７３１７」、「ハイミランＡＭ７３２９」及び「ハイミランＡＭ７３３７」；デュポン社の商品名「サーリン６１２０」、「サーリン６９１０」、「サーリン７９３０」、「サーリン７９４０」、「サーリン８１４０」、「サーリン８１５０」、「サーリン８９４０」、「サーリン８９４５」、「サーリン９１２０」、「サーリン９１５０」、「サーリン９９１０」、「サーリン９９４５」、「サーリンＡＤ８５４６」、「ＨＰＦ１０００」及び「ＨＰＦ２０００」；並びにエクソンモービル化学社の商品名「ＩＯＴＥＫ７０１０」、「ＩＯＴＥＫ７０３０」、「ＩＯＴＥＫ７５１０」、「ＩＯＴＥＫ７５２０」、「ＩＯＴＥＫ８０００」及び「ＩＯＴＥＫ８０３０」が挙げられる。２種以上のアイオノマー樹脂が併用されてもよい。
【００５７】
好ましくは、インナーカバー６の樹脂組成物は、スチレンブロック含有熱可塑性エラストマーを含む。スチレンブロック含有熱可塑性エラストマーは、ハードセグメントとしてのポリスチレンブロックと、ソフトセグメントとを備えている。典型的なソフトセグメントは、ジエンブロックである。ジエンブロックの化合物として、ブタジエン、イソプレン、１，３−ペンタジエン及び２，３−ジメチル−１，３−ブタジエンが例示される。ブタジエン及びイソプレンが好ましい。２以上の化合物が併用されてもよい。
【００５８】
スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物として、スチレン−エチレン−ブチレン−スチレンブロック共重合体（ＳＥＢＳ）が挙げられる。ＳＩＳの水添物として、スチレン−エチレン−プロピレン−スチレンブロック共重合体（ＳＥＰＳ）が挙げられる。ＳＩＢＳの水添物として、スチレン−エチレン−エチレン−プロピレン−スチレンブロック共重合体（ＳＥＥＰＳ）が挙げられる。
【００５９】
ゴルフボール２の反発性能の観点から、スチレンブロック含有熱可塑性エラストマーにおけるスチレン成分の含有率は１０質量％以上が好ましく、１２質量％以上がより好ましく、１５質量％以上が特に好ましい。ゴルフボール２の打球感の観点から、この含有率は５０質量％以下が好ましく、４７質量％以下がより好ましく、４５質量％以下が特に好ましい。
【００６０】
本発明において、スチレンブロック含有熱可塑性エラストマーには、ＳＢＳ、ＳＩＳ、ＳＩＢＳ、ＳＥＢＳ、ＳＥＰＳ及びＳＥＥＰＳからなる群から選択された１種又は２種以上と、オレフィンとのアロイが含まれる。このアロイ中のオレフィン成分は、他の基材ポリマーとの相溶性向上に寄与すると推測される。このアロイは、ゴルフボール２の反発性能に寄与しうる。炭素数が２以上１０以下のオレフィンが好ましい。好適なオレフィンとして、エチレン、プロピレン、ブテン及びペンテンが例示される。エチレン及びプロピレンが特に好ましい。
【００６１】
ポリマーアロイの具体例として、三菱化学社の商品名「ラバロンＴ３２２１Ｃ」、「ラバロンＴ３３３９Ｃ」、「ラバロンＳＪ４４００Ｎ」、「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。スチレンブロック含有熱可塑性エラストマーの他の具体例として、ダイセル化学工業社の商品名「エポフレンドＡ１０１０」及びクラレ社の商品名「セプトンＨＧ−２５２」が挙げられる。
【００６２】
後述するとおり、このゴルフボールでは、メインカバーの積ＴＨ２が比較的大きい。積ＴＨ２が大きくても優れた打球感が達成されるとの観点から、全基材ポリマーに対するスチレンブロック含有熱可塑性エラストマーの比率は１０量％以上が好ましく、１５質量％以上がより好ましく、２０質量％以上が特に好ましい。反発性能の観点から、この比率は５０質量％以下が好ましい。
【００６３】
インナーカバー６の樹脂組成物が、着色剤、充填剤、分散剤、酸化防止剤、紫外線吸収剤、光安定剤、蛍光剤、蛍光増白剤等を適量含んでもよい。ゴルフボール２の色相が白である場合、典型的な着色剤は二酸化チタンである。
【００６４】
インナーカバー６の厚みＴ１は、０．５０ｍｍ以上１．３０ｍｍ以下が好ましい。厚みＴ１が０．５０ｍｍ以上であるゴルフボール２は、打球感に優れる。この観点から、厚みＴ１は０．７０ｍｍ以上がより好ましく、０．８０ｍｍ以上が特に好ましい。厚みＴ１が１．３０ｍｍ以下であるゴルフボール２は、反発性能に優れる。この観点から、厚みＴ１は１．１０ｍｍ以下がより好ましく、１．００ｍｍ以下が特に好ましい。厚みは、ランド１４の直下において測定される。
【００６５】
インナーカバー６の硬度Ｈ１は、４５以上７５以下が好ましい。硬度Ｈ１が４５以上であるゴルフボール２は、反発性能に優れる。この観点から、硬度Ｈ１は５０以上がより好ましく、５５以上が特に好ましい。硬度Ｈ１が７５以下であるゴルフボール２は、打球感に優れる。この観点から、硬度Ｈ１は７０以下がより好ましく、６５以下が特に好ましい。
【００６６】
インナーカバー６の硬度Ｈ１は、「ＡＳＴＭ−Ｄ  ２２４０−６８」の規定に準拠して測定される。自動硬度計（Ｈ．バーレイス社の商品名「デジテストII」）に取り付けられたショアＣ型硬度計により、硬度Ｈ１が測定される。測定には、熱プレスで成形された、インナーカバー６の材料と同一の材料からなる、厚みが約２ｍｍであるシートが用いられる。測定に先立ち、シートは２３℃の温度下に２週間保管される。測定時には、３枚のシートが重ね合わされる。
【００６７】
インナーカバー６における厚みＴ１（ｍｍ）とショアＣ硬度Ｈ１との積ＴＨ１は、２５以上７５以下が好ましい。積ＴＨ１がこの範囲内であるゴルフボール２は、打球感と、ロングアイアンで打撃されたときの飛距離とに優れる。この観点から、積ＴＨ１は３０以上７０以下がより好ましく、３５以上６５以下が特に好ましい。
【００６８】
メインカバー８は、インナーカバー６の外側に位置している。メインカバー８は、熱可塑性樹脂組成物から成形されている。この樹脂組成物の基材ポリマーとして、アイオノマー樹脂、熱可塑性ポリエステルエラストマー、熱可塑性ポリアミドエラストマー、熱可塑性ポリウレタンエラストマー、熱可塑性ポリオレフィンエラストマー及び熱可塑性ポリスチレンエラストマーが例示される。特に、アイオノマー樹脂が好ましい。アイオノマー樹脂は、高弾性である。アイオノマー樹脂を含むメインカバー８を有するゴルフボール２は、反発性能に優れる。このゴルフボール２は、ロングアイアンで打撃されたときの飛距離に優れる。インナーカバー６に関して前述されたアイオノマー樹脂が、メインカバー８に用いられうる。
【００６９】
アイオノマー樹脂と他の樹脂とが併用されてもよい。併用される場合は、ゴルフボール２がロングアイアンで打撃されたときの飛距離の観点から、アイオノマー樹脂が基材ポリマーの主成分とされる。全基材ポリマーに対するアイオノマー樹脂の比率は、５０質量％以上が好ましく、７０質量％以上がより好ましく、８０質量％以上が特に好ましい。
【００７０】
メインカバー８の樹脂組成物が、着色剤、充填剤、分散剤、酸化防止剤、紫外線吸収剤、光安定剤、蛍光剤、蛍光増白剤等を適量含んでもよい。ゴルフボール２の色相が白である場合、典型的な着色剤は二酸化チタンである。
【００７１】
メインカバー８の厚みＴ２は、０．８０ｍｍ以上２．００ｍｍ以下が好ましい。厚みＴ２が０．８０ｍｍ以上であるゴルフボール２は、反発性能に優れ、かつスピンが抑制される。このゴルフボール２は、ロングアイアンで打撃されたときの飛距離に優れる。この観点から、厚みＴ２は０．９０ｍｍ以上がより好ましく、１．００ｍｍ以上が特に好ましい。厚みＴ２が２．００ｍｍ以下であるゴルフボール２は、打球感に優れる。この観点から、厚みＴ２は１．８０ｍｍ以下がより好ましく、１．６０ｍｍ以下が特に好ましい。厚みは、ランド１４の直下において測定される。
【００７２】
メインカバー８の硬度Ｈ２は、８６以上１００以下が好ましい。硬度Ｈ２が８６以上であるゴルフボール２は、反発性能に優れ、かつスピンが抑制される。このゴルフボール２は、ロングアイアンで打撃されたときの飛距離に優れる。この観点から、硬度Ｈ２は８８以上がより好ましく、９０以上が特に好ましい。硬度Ｈ２が１００以下であるゴルフボール２は、打球感に優れる。この観点から、硬度Ｈ２は９８以下がより好ましく、９７以下が特に好ましい。
【００７３】
メインカバー８の硬度Ｈ２は、「ＡＳＴＭ−Ｄ  ２２４０−６８」の規定に準拠して測定される。自動硬度計（Ｈ．バーレイス社の商品名「デジテストII」）に取り付けられたショアＣ型硬度計により、硬度Ｈ２が測定される。測定には、熱プレスで成形された、メインカバー８の材料と同一の材料からなる、厚みが約２ｍｍであるシートが用いられる。測定に先立ち、シートは２３℃の温度下に２週間保管される。測定時には、３枚のシートが重ね合わされる。
【００７４】
メインカバー８における厚みＴ２（ｍｍ）とショアＣ硬度Ｈ２との積ＴＨ２は、７０以上１８０以下が好ましい。積ＴＨ２がこの範囲内であるゴルフボール２は、打球感と、ロングアイアンで打撃されたときの飛距離とに優れる。この観点から、積ＴＨ２は８０以上１７０以下がより好ましく、９０以上１６０以下が特に好ましい。
【００７５】
アウターカバー１０は、マーク層及びペイント層を除けば、最も外側の層である。アウターカバー１０は、樹脂組成物から成形されている。この樹脂組成物の基材ポリマーとして、ポリウレタン、アイオノマー樹脂、ポリエステル、ポリアミド、ポリオレフィン及びポリスチレンが例示される。打球感及びスピン性能の観点から、好ましい基材ポリマーは、ポリウレタンである。アウターカバー１０にポリウレタンと他の樹脂とが併用される場合、全基材樹脂に対するポリウレタンの比率は５０質量％以上が好ましく、６０質量％以上がより好ましく、７０質量％以上が特に好ましい。
【００７６】
アウターカバー１０の樹脂組成物が、熱可塑性ポリウレタンを含んでもよく、熱硬化性ポリウレタンを含んでもよい。ゴルフボール２の生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。熱可塑性ポリウレタンは、軟質である。このポリウレタンが用いられたアウターカバー１０は、耐擦傷性に優れる。
【００７７】
熱可塑性ポリウレタンは、分子内にウレタン結合を有する。このウレタン結合は、ポリオールとポリイソシアネートとの反応によって形成されうる。ウレタン結合の原料であるポリオールは、複数のヒドロキシル基を有する。低分子量ポリオール及び高分子量ポリオールが用いられうる。
【００７８】
低分子量のポリオールとして、ジオール、トリオール、テトラオール及びヘキサオールが挙げられる。ジオールの具体例として、エチレングリコール、ジエチレングリコール、トリエチレングリコール、１，２−プロパンジオール、１，３−プロパンジオール、２−メチル−１，３−プロパンジオール、ジプロピレングリコール、１，２−ブタンジオール、１，３−ブタンジオール、１，４−ブタンジオール、２，３−ブタンジオール、２，３−ジメチル−２，３−ブタンジオール、ネオペンチルグリコール、ペンタンジオール、ヘキサンジオール、ヘプタンジオール、オクタンジオール及び１，６−シクロヘキサンジメチロールが例示される。アニリン系ジオール又はビスフェノールＡ系ジオールが用いられてもよい。トリオールの具体例として、グリセリン、トリメチロールプロパン及びヘキサントリオールが挙げられる。テトラオールの具体例として、ペンタエリスリトール及びソルビトールが挙げられる。
【００７９】
高分子量のポリオールとして、ポリオキシエチレングリコール（ＰＥＧ）、ポリオキシプロピレングリコール（ＰＰＧ）及びポリテトラメチレンエーテルグリコール（ＰＴＭＧ）のようなポリエーテルポリオール；ポリエチレンアジぺート（ＰＥＡ）、ポリブチレンアジペート（ＰＢＡ）及びポリヘキサメチレンアジペート（ＰＨＭＡ）のような縮合系ポリエステルポリオール；ポリ−ε−カプロラクトン（ＰＣＬ）のようなラクトン系ポリエステルポリオール；ポリヘキサメチレンカーボネートのようなポリカーボネートポリオール；並びにアクリルポリオールが挙げられる。２種以上のポリオールが併用されてもよい。ゴルフボール２の打球感の観点から、高分子量のポリオールの数平均分子量は４００以上が好ましく、１０００以上がより好ましい。数平均分子量は、１００００以下が好ましい。
【００８０】
ウレタン結合の原料であるポリイソシアネートとして、芳香族ジイソシアネート、脂環式ジイソシアネート及び脂肪族ジイソシアネートが例示される。２種以上のジイソシアネートが併用されてもよい。
【００８１】
芳香族ジイソシアネートとして、２，４−トルエンジイソシアネート、２，６−トルエンジイソシアネート、４，４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）及びパラフェニレンジイソシアネート（ＰＰＤＩ）が例示される。脂肪族ジイソシアネートとして、ヘキサメチレンジイソシアネート（ＨＤＩ）が例示される。脂環式ジイソシアネートとして、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。４，４’−ジシクロヘキシルメタンジイソシアネートが好ましい。
【００８２】
熱可塑性ポリウレタンの具体例として、ＢＡＳＦジャパン社の商品名「エラストランＮＹ８０Ａ」、「エラストランＮＹ８２Ａ」、「エラストランＮＹ８３Ａ」、「エラストランＮＹ８４Ａ」、「エラストランＮＹ８５Ａ」、「エラストランＮＹ８８Ａ」、「エラストランＮＹ９０Ａ」、「エラストランＮＹ９５Ａ」、「エラストランＮＹ９７Ａ」、「エラストランＮＹ５８５」及び「エラストランＫＰ０１６Ｎ」；並びに大日精化工業社の商品名「レザミンＰ４５８５ＬＳ」及び「レザミンＰＳ６２４９０」が挙げられる。
【００８３】
アウターカバー１０の樹脂組成物が、着色剤、充填剤、分散剤、酸化防止剤、紫外線吸収剤、光安定剤、蛍光剤、蛍光増白剤等を適量含んでもよい。ゴルフボール２の色相が白である場合、典型的な着色剤は二酸化チタンである。
【００８４】
アウターカバー１０の厚みＴ３は、０．３０ｍｍ以上１．００ｍｍ以下が好ましい。厚みＴ３が０．３０ｍｍ以上であるゴルフボール２は、打球感及びスピン性能に優れる。この観点から、厚みＴ３は０．４０ｍｍ以上がより好ましく、０．４５ｍｍ以上が特に好ましい。厚みＴ３が１．００ｍｍ以下であるゴルフボール２は、ロングアイアンで打撃されたときの飛距離に優れる。この観点から、厚みＴ３は０．８０ｍｍ以下がより好ましく、０．６０ｍｍ以下が特に好ましい。厚みは、ランド１４の直下において測定される。
【００８５】
アウターカバー１０の硬度Ｈ３は、５０以上８０以下が好ましい。硬度Ｈ３が５０以上であるゴルフボール２は、ロングアイアンで打撃されたときの飛距離に優れる。この観点から、硬度Ｈ３は５３以上がより好ましく、５５以上が特に好ましい。硬度Ｈ３が８０以下であるゴルフボール２は、打球感及びスピン性能に優れる。この観点から、硬度Ｈ３は７５以下がより好ましく、７０以下が特に好ましい。
【００８６】
アウターカバー１０の硬度Ｈ３は、「ＡＳＴＭ−Ｄ  ２２４０−６８」の規定に準拠して測定される。自動硬度計（Ｈ．バーレイス社の商品名「デジテストII」）に取り付けられたショアＣ型硬度計により、硬度Ｈ３が測定される。測定には、熱プレスで成形された、アウターカバー１０の材料と同一の材料からなる、厚みが約２ｍｍであるシートが用いられる。測定に先立ち、シートは２３℃の温度下に２週間保管される。測定時には、３枚のシートが重ね合わされる。
【００８７】
アウターカバー１０における厚みＴ３（ｍｍ）とショアＣ硬度Ｈ３との積ＴＨ３は、１５以上７０以下が好ましい。積ＴＨ３がこの範囲内であるゴルフボール２は、打球感と、ロングアイアンで打撃されたときの飛距離とに優れる。この観点から、積ＴＨ３は２０以上６０以下がより好ましく、２５以上５５以下が特に好ましい。
【００８８】
ゴルフボール２が、メインカバー８とアウターカバー１０との間に、補強層を備えてもよい。補強層は、メインカバー８と堅固に密着し、アウターカバー１０とも堅固に密着する。補強層は、メインカバー８からのアウターカバー１０の剥離を抑制する。補強層は、樹脂組成物から形成されている。補強層の好ましい基材ポリマーとして、二液硬化型エポキシ樹脂及び二液硬化型ウレタン樹脂が例示される。補強層の厚みは５μｍ以上３０μｍ以下が好ましい。
【００８９】
好ましくは、このゴルフボール２では、メインカバー８の厚みＴ２はインナーカバー６の厚みＴ１と同じかこれよりも大きい。両者の差（Ｔ２−Ｔ１）は、０．００ｍｍ以上０．８０ｍｍ以下が好ましい。差（Ｔ２−Ｔ１）が上記範囲内であるゴルフボール２は、打球感と、ロングアイアンで打撃されたときの飛距離とに優れる。この観点から、差（Ｔ２−Ｔ１）は０．０５ｍｍ以上０．７０ｍｍ以下が特に好ましい。
【００９０】
好ましくは、このゴルフボール２では、メインカバー８の硬度Ｈ２はインナーカバー６の硬度Ｈ１よりも大きい。両者の差（Ｈ２−Ｈ１）は、１５以上５５以下が好ましい。差（Ｈ２−Ｈ１）が上記範囲内であるゴルフボール２は、打球感と、ロングアイアンで打撃されたときの飛距離とに優れる。この観点から、差（Ｈ２−Ｈ１）は２０以上５０以下がより好ましく、２５以上４５以下が特に好ましい。
【００９１】
好ましくは、このゴルフボール２では、メインカバー８の厚みＴ２はアウターカバー１０の厚みＴ３と同じかこれよりも大きい。両者の差（Ｔ２−Ｔ３）は、０．２０ｍｍ以上２．００ｍｍ以下が好ましい。差（Ｔ２−Ｔ３）が上記範囲内であるゴルフボール２は、打球感と、ロングアイアンで打撃されたときの飛距離とに優れる。この観点から、差（Ｔ２−Ｔ３）は０．２５ｍｍ以上１．５０ｍｍ以下がより好ましく、０．３０ｍｍ以上１．２０ｍｍ以下が特に好ましい。
【００９２】
好ましくは、このゴルフボール２では、メインカバー８の硬度Ｈ２はアウターカバー１０の硬度Ｈ３よりも大きい。両者の差（Ｈ２−Ｈ３）は、１５以上５５以下が好ましい。差（Ｈ２−Ｈ３）が上記範囲内であるゴルフボール２は、打球感と、ロングアイアンで打撃されたときの飛距離とに優れる。この観点から、差（Ｈ２−Ｈ３）は２０以上５０以下がより好ましく、２５以上４５以下が特に好ましい。
【００９３】
インカバーにおける厚みＴ２とショアＣ硬度Ｈ２との積ＴＨ２、及びコア４における半径の５％の値と表面のショアＣ硬度Ｈｓとの積ＴＨｓは、下記の数式を満たす。
１５≦ （ＴＨ２−ＴＨｓ） ≦ １００
換言すれば、差（ＴＨ２−ＴＨｓ）は１５以上１００以下である。差（ＴＨ２−ＴＨｓ）がこの範囲内であるゴルフボール２は、打球感と、ロングアイアンで打撃されたときの飛距離とに優れる。この観点から、差（ＴＨ２−ＴＨｓ）は１５以上９０以下がより好ましく、１６以上８５以下が特に好ましい。
【００９４】
このゴルフボール２は、下記数式を満たす。
０．２５ ＜ （（ＴＨ１ ＋ ＴＨ３） ／ ２） ／ ＴＨ２ ＜０．６５
換言すれば、インナーカバー６における積ＴＨ１とアウターカバー１０における積ＴＨ３との平均の、メインカバー８における積ＴＨ２に対する比は、０．２５を超えて０．６５未満である。この比が上記範囲内であるゴルフボール２は、打球感と、ロングアイアンで打撃されたときの飛距離とに優れる。この観点から、この比は０．２６以上０．６３以下がより好ましく、０．２７以上０．６０以下が特に好ましい。
【００９５】
ゴルフボール２の圧縮変形量Ｓｂは、２．５ｍｍ以上４．０ｍｍ以下が好ましい。圧縮変形量Ｓｂが２．５ｍｍ以上であるゴルフボール２は、打球感に優れる。この観点から、圧縮変形量Ｓｂは２．８ｍｍ以上が好ましく、３．２ｍｍ以上が特に好ましい。圧縮変形量Ｓｂが４．０ｍｍ以下であるゴルフボール２は、ロングアイアンで打撃されたときの飛距離に優れる。この観点から、圧縮変形量Ｓｂは３．８ｍｍ以下がより好ましく、３．６ｍｍ以下が特に好ましい。
【００９６】
圧縮変形量の測定には、ＹＡＭＡＤＡ式コンプレッションテスター「ＳＣＨ」が用いられる。このテスターでは、ゴルフボール２が金属製の剛板の上に置かれる。このゴルフボール２に向かって金属製の円柱が徐々に降下する。この円柱の底面と剛板との間に挟まれたゴルフボール２は、変形する。ゴルフボール２に９８Ｎの初荷重がかかった状態から１２７４Ｎの終荷重がかかった状態までの円柱の移動距離が、測定される。初荷重がかかるまでの円柱の移動速度は、０．８３ｍｍ／ｓである。初荷重がかかってから終荷重がかかるまでの円柱の移動速度は、１．６７ｍｍ／ｓである。
【００９７】
このゴルフボール２は、下記表１に示されたタイプＩのディンプル仕様を有している。それぞれのディンプル１２の輪郭は円である。このゴルフボール２は、直径が４．６０ｍｍであるディンプルＡと、直径が４．５０ｍｍであるディンプルＢと、直径が４．３０ｍｍであるディンプルＣと、直径が４．２０ｍｍであるディンプルＤと、直径が４．００ｍｍであるディンプルＥと、直径が２．９０ｍｍであるディンプルＦとを備えている。ディンプル１２の種類数は、６である。ゴルフボール２が円形ディンプル１２に代えて、又は円形ディンプル１２と共に、非円形ディンプルを有してもよい。
【００９８】
ディンプルＡの数は７２個であり、ディンプルＢの数は５４個であり、ディンプルＣの数は３０個であり、ディンプルＤの数は５４個であり、ディンプルＥの数は１０８個であり、ディンプルＦの数は１２である。ディンプル１２の総数は、３３０個である。これらのディンプル１２とランド１４とにより、ディンプルパターンが形成されている。
【００９９】
図２には、ディンプル１２の中心及びゴルフボール２の中心を通過する平面に沿った、ゴルフボール２の断面が示されている。図２における上下方向は、ディンプル１２の深さ方向である。図２において二点鎖線１６で示されているのは、仮想球である。仮想球１６の表面は、ディンプル１２及び微小突起（後に詳説）が存在しないと仮定されたときのゴルフボール２の表面である。仮想球１６の直径は、ゴルフボール２の直径と同一である。ディンプル１２は、仮想球１６の表面から凹陥している。ランド１４は、仮想球１６の表面と一致している。
【０１００】
図２において矢印Ｄｍで示されているのは、ディンプル１２の直径である。この直径Ｄｍは、ディンプル１２の両側に共通する接線Ｔｇが画かれたときの、一方の接点Ｅｄと他方の接点Ｅｄとの距離である。接点Ｅｄは、ディンプル１２のエッジでもある。エッジＥｄは、ディンプル１２の輪郭を画定する。
【０１０１】
それぞれのディンプル１２の直径Ｄｍは、２．０ｍｍ以上６．０ｍｍ以下が好ましい。直径Ｄｍが２．０ｍｍ以上であるディンプル１２は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１２は、実質的に球であるというゴルフボール２の本質を損ねない。この観点から、直径Ｄｍは５．５ｍｍ以下がより好ましく、５．０ｍｍ以下が特に好ましい。
【０１０２】
非円形ディンプルの場合、この非円形ディンプルの面積と同じ面積を有する円形ディンプル１２が仮想される。この仮想されたディンプル１２の直径が、非円形ディンプルの直径と見なされる。
【０１０３】
図２において両矢印Ｆで示されているのは、ディンプル１２の深さである。この深さＦは、ディンプル１２の最深部と仮想球１６の表面との距離である。全てのディンプル１２の深さＦが合計され、この合計がディンプル１２の総数で除されることにより、平均深さＦavが算出される。飛行中のゴルフボール２のホップが抑制されるとの観点から、平均深さＦavは１００μｍ以上が好ましく、１３０μｍ以上がより好ましく、１５０μｍ以上が特に好ましい。飛行中のゴルフボール２のドロップが抑制されるとの観点から、平均深さＦavは５００μｍ以下が好ましく、４５０μｍ以下がより好ましく、４００μｍ以下が特に好ましい。
【０１０４】
ディンプル１２の面積ｓは、無限遠からゴルフボール２の中心を見た場合の、ディンプル１２の輪郭に囲まれた領域の面積である。円形ディンプル１２の場合、面積Ｓは下記数式によって算出される。
S = (Dm / 2)２* π
全てのディンプル１２の面積Ｓが合計され、この合計がディンプル１２の数で除されることにより、平均面積Ｓavが算出される。
【０１０５】
本実施形態に係るゴルフボール２では、ディンプルＡの面積は１６．６２ｍｍ２であり、ディンプルＢの面積は１５．９０ｍｍ２であり、ディンプルＣの面積は１４．５２ｍｍ２であり、ディンプルＤの面積は１３．８５ｍｍ２であり、ディンプルＥの面積は１２．５７ｍ２であり、ディンプルＦの面積は６．６１ｍｍ２である。このゴルフボール２の平均面積Ｓavは、１４、１７ｍｍ２である。
【０１０６】
本発明では、全てのディンプル１２の面積Ｓの合計の、仮想球１６の表面積に対する比率は、占有率Ｓｏと称される。十分な乱流化が得られるとの観点から、占有率Ｓｏは７８．０％以上が好ましく、８０．０％以上がより好ましく、８１．０％以上が特に好ましい。占有率は、９５％以下が好ましい。本実施形態に係るゴルフボール２では、ディンプル１２の合計面積は４６７５．６ｍｍ２である。このゴルフボール２の仮想球１６の表面積は５７２８．０ｍｍ２なので、占有率は８１．６％である。
【０１０７】
十分な占有率Ｓｏが達成されるとの観点から、ディンプル１２の総数Ｎは２５０個以上が好ましく、２８０個以上がより好ましく、３００個以上が特に好ましい。個々のディンプル１２が乱流化に寄与しうるとの観点から、総数Ｎは４５０個以下が好ましく、４００個以下がより好ましく、３８０個以下が特に好ましい。
【０１０８】
本発明において「ディンプルの容積」とは、仮想球１６の表面とディンプル１２の表面とに囲まれた部分の容積を意味する。飛行中のゴルフボール２のホップが抑制されるとの観点から、ディンプル１２の総容積は４５０ｍｍ３以上が好ましく、４８０ｍｍ３以上がより好ましく、５００ｍｍ３以上が特に好ましい。飛行中のゴルフボール２のドロップが抑制されるとの観点から、総容積は７５０ｍｍ３以下が好ましく、７３０ｍｍ３以下がより好ましく、７１０ｍｍ３以下が特に好ましい。
【０１０９】
図３は、図１のゴルフボール２の表面の一部が示された拡大斜視図である。図３から明らかなように、このゴルフボール２は、その表面に多数の微小突起１８を備えている。図２から明らかなように、微小突起１８は、ディンプル１２の表面に形成されており、かつ、ランド１４の表面にも形成されている。それぞれの微小突起１８は、ゴルフボール２の半径方向外向きに起立している。この微小突起１８は、飛行中のゴルフボール２の揚力を抑制する。ゴルフボール２がロングアイアンで打撃されたときに過剰のスピンが発生しても、微小突起１８がこのゴルフボール２のホップを抑制する。この微小突起１８を有するゴルフボール２は、ロングアイアンで打撃されたときの飛行性能に優れる。
【０１１０】
図３には、第一列Ｉに属する３つの微小突起１８ａと、第二列IIに属する３つの微小突起１８ｂとが示されている。図３において矢印Ａで示される方向は、列の延在方向である。それぞれの列において、微小突起１８は、等ピッチで並んでいる。換言すれば、微小突起１８は規則的に並んでいる。ゴルフボール２の表面の一部において、微小突起１８が不規則に並んでもよい。
【０１１１】
第一列Ｉに属する微小突起１８ａと第二列IIに属する微小突起１８ｂとが、ジグザグに配置されてもよい。換言すれば、第一列Ｉに属する微小突起１８ａの位置が、延在方向Ａにおいて、第二列IIに属する微小突起１８ｂの位置とずれてもよい。
【０１１２】
図４は、図１のゴルフボール２の一部が示された拡大断面図である。図４には、本体の一部であるカバー８と、ペイント層２０とが示されている。図４には、微小突起１８が示されている。カバー８は、凸部２２を有している。微小突起１８は、この凸部２２とペイント層２０とによって形成されている。凸部２２がゴルフボール２の半径方向外向き（図４における上向き）に起立しているので、微小突起１８もゴルフボール２の半径方向外向きに起立している。換言すれば、微小突起１８は、本体１０（カバー８）の表面形状が反映された形状を有する。図４において符号２４で示されているのは、微小突起１８の底面である。
【０１１３】
図５は、図４のＶ−Ｖ線に沿った断面図である。図５には、微小突起１８の底面２４が示されている。底面２４は、カバー８とペイント層２０とを含んでいる。
【０１１４】
図５には、第一の微小突起１８ｃの底面２４ｃと共に、二点鎖線にて、第二の微小突起１８ｄの底面２４ｄも示されている。第二の微小突起１８ｄは、第一の微小突起１８ｃに隣接している。図５において二点鎖線２６で示されているのは、第一の微小突起１８ｃの底面２４ｃの重心Ｏｃと、第二の微小突起１８ｄの底面２４ｄの重心Ｏｄとを通過する直線である。
【０１１５】
図５において矢印Ｐで示されているのは、ピッチである。ピッチＰは、第一の微小突起１８ｃと、この第一の微小突起１８ｃに隣接する第二の微小突起１８ｄとの距離である。ピッチＰは、第一の微小突起１８ｃの底面２４ｃの重心Ｏｃと、第二の微小突起１８ｄの底面２４ｄの重心Ｏｄとの距離である。「第一の微小突起に隣接する第二の微小突起」とは、第一の微小突起１８ｃの周辺に存在する微小突起１８のうち、第一の微小突起１８ｃとの距離Ｌ（後に詳説）が最も小さい微小突起１８である。
【０１１６】
それぞれの微小突起１８に、１つのピッチＰが決定される。全ての微小突起１８のピッチＰが合計され、この合計が微小突起１８の数で除されることにより、平均ピッチＰavが算出される。平均ピッチＰavは、１０μｍ以上３０００μｍ以下が好ましい。平均ピッチＰavがこの範囲内であるゴルフボール２では、微小突起１８がゴルフボール２のホップを抑制する。この観点から、平均ピッチＰavは１００μｍ以上がより好ましく、２００μｍ以上が特に好ましい。平均ピッチＰavは、２５００μｍ以下がより好ましく、２０００μｍ以下が特に好ましい。
【０１１７】
図５において矢印Ｌで示されているのは、第一の微小突起１８ｃとこの第一の微小突起１８ｃに隣接する第二の微小突起１８ｄとの間の距離である。それぞれの微小突起１８に、１つの距離Ｌが決定される。全ての微小突起１８の距離Ｌが合計され、この合計が微小突起１８の数で除されることにより、平均距離Ｌavが算出される。平均距離Ｌavは、５μｍ以上２５００μｍ以下が好ましい。平均距離Ｌavがこの範囲内であるゴルフボール２では、微小突起１８がゴルフボール２のホップを抑制する。この観点から平均距離Ｌavは５０μｍ以上がより好ましく、１００μｍ以上が特に好ましい。平均距離Ｌavは、２０００μｍ以下がより好ましく、１５００μｍ以下が特に好ましい。
【０１１８】
図４において矢印Ｈで示されているのは、微小突起１８の高さである。高さＨは、ゴルフボール２の半径方向に沿って測定される。全ての微小突起１８の高さＨが合計され、この合計が微小突起１８の数で除されることにより、平均高さＨavが算出される。ゴルフボール２がロングアイアンで打撃されたときに過剰なスピンが発生しても、微小突起１８がゴルフボール２のホップを抑制するとの観点から、平均高さＨavは０．５μｍ以上が好ましく、１．０μｍ以上がより好ましく、３．０μｍ以上が特に好ましい。微小突起１８がディンプル効果を阻害せず、従って十分な揚力が得られうるとの観点から、平均高さＨavは２５μｍ以下が好ましく、２２μｍ以下がより好ましく、２０μｍ以下が特に好ましい。
【０１１９】
このゴルフボール２では、ディンプル１２の平均深さＦavと微小突起１８の平均高さＨavとは、下記数式（３）を満たす。
Ｈav ＜Ｆav ・ ０．０５      （３）
換言すれば、平均高さＨavは、（Ｆav・０．０５）よりも小さい。このゴルフボール２では、微小突起１８がディンプル効果を阻害しない。このゴルフボール２では、十分な揚力が得られうる。この観点から、平均高さＨavは（Ｆav・０．０４）以下がより好ましく、（Ｆav・０．０３）以下が特に好ましい。ゴルフボール２がロングアイアンで打撃されたときに過剰なスピンが生じても、微小突起１８がゴルフボール２のホップを抑制するとの観点から、平均高さＨavは（Ｆav・０．００５）以上が好ましく、（Ｆav・０．００８）以上がより好ましく、（Ｆav・０．０１０）以上が特に好ましい。
【０１２０】
全ての微小突起１８の底面２４の面積Ｑが合計され、この合計が微小突起１８の数で除されることにより、平均面積Ｑavが算出される。ゴルフボール２がロングアイアンで打撃されたときに過剰なスピンが生じても、微小突起１８がゴルフボール２のホップを抑制するとの観点から、平均面積Ｑavは１０μｍ２以上が好ましく、１００μｍ２以上がより好ましく、５００μｍ２以上が特に好ましい。ディンプル効果を微小突起１８が阻害しないとの観点から、平均面積Ｑavは４００００００μｍ２以下が好ましく、１００００００μｍ２以下がより好ましく、３０００００μｍ２以下が特に好ましい。
【０１２１】
ゴルフボール２がロングアイアンで打撃されたときに過剰なスピンが生じても、微小突起１８がゴルフボール２のホップを抑制するとの観点から、全ての微小突起１８の底面２４の面積Ｑの合計の、仮想球１６の表面積に対する比率は、５％以上が好ましく、１５％以上がより好ましく、２０％以上が特に好ましい。微小突起１８がディンプル効果を阻害しないとの観点から、この比率は８０％以下が好ましく、６０％以下がより好ましく、５０％以下が特に好ましい。
【０１２２】
ゴルフボール２がロングアイアンで打撃されたときに過剰なスピンが生じても、微小突起１８がゴルフボール２のホップを抑制するとの観点から、微小突起１８の総数は５００個以上が好ましく、１０００個以上がより好ましく、２０００個以上が特に好ましい。微小突起１８がディンプル効果を阻害しないとの観点から、この総数は５０００００個以下が好ましく、３０００００個以下がより好ましく、１０００００個以下が特に好ましい。
【０１２３】
好ましくは、ディンプル１２の平均面積Ｓavと微小突起１８の底面２４の平均面積Ｑavとは、下記数式（４）を満たす。
Ｑav ＜Ｓav ・ ０．０１５      （４）
換言すれば、微小突起１８の底面２４の平均面積Ｑavは、（Ｓav・０．０１５）よりも小さい。このゴルフボール２では、微小突起１８がディンプル効果を阻害しない。このゴルフボール２では、十分な揚力が得られうる。この観点から、平均面積Ｑavは（Ｓav・０．０１０）以下がより好ましく、（Ｓav・０．００５）以下が特に好ましい。ゴルフボール２がロングアイアンで打撃されたときに過剰なスピンが生じても、微小突起１８がゴルフボール２のホップを抑制するとの観点から、平均高さＱavは（Ｓav・０．０００００１）以上が好ましく、（Ｓav・０．００００１）以上がより好ましく、（Ｓ・０．００００３）以上が特に好ましい。
【０１２４】
前述の通り、微小突起１８は、本体１０の凸部２２とペイント層２０とを含んでいる（図４参照）。従って、ゴルフクラブで打撃されたり、地面に衝突することによって、ペイント層２０が本体１０から剥離しても、微小突起１８の形状が概ね維持され、空力特性が概ね維持される。この微小突起１８の形成に、特殊なペイントは必要ない。このゴルフボール２は、容易に製造されうる。凸部２２がペイント層２０で覆われているので、このゴルフボール２は汚れにくい。
【０１２５】
前述の通り、微小突起１８はディンプル１２の表面に形成されており、かつ、ランド１４の表面にも形成されている（図２参照）。従ってこのゴルフボール２は、空力特性に極めて優れる。微小突起１８が、ディンプル１２の表面のみに形成されてもよい。微小突起１８が、ランド１４の表面のみに形成されてもよい。
【０１２６】
図３−５に示された微小突起１８の形状は、概ね円柱である。ゴルフボール２が、他の形状の微小突起１８を有してもよい。他の形状として、角柱、角錐台、円錐台、角錐及び円錐が例示される。微小突起１８の形状が、球の一部であってもよい。微小突起１８が、複数の立体が組み合わされた形状を有してもよい。ゴルフボール２が、互いに形状の異なる複数種類の微小突起１８を有してもよい。ゴルフボール２が、互いにサイズの異なる複数種類の微小突起１８を有してもよい。
【０１２７】
本体１０の凸部２２は、本体１０の成形時に同時に成形される。この成形には、成形型が用いられる。この成形型のキャビティ面は、多数の微小な凹部を有している。それぞれの凹部は、凸部２２の形状がほぼ反転した形状を有する。
【０１２８】
この成形型は、ディンプル１２を有するマスター型から得られうる。このディンプル１２の形状が転写されて、成形型にピンプルが形成される。この成形型に、切削加工、レーザー照射加工等により、微小凹部が形成される。この成形型から得られたゴルフボール２では、ピンプルの形状が転写されてディンプル１２が形成され、微小凹部の形状が転写されて微小突起１８が形成される。
【０１２９】
マスター型からの転写ではなく、切削加工により、ダイレクトに、ピンプルを有する成形型が製作されてもよい。この場合も、切削加工、レーザー照射加工等により、成形型に微小凹部が形成される。
【実施例】
【０１３０】
以下、実施例によって本発明の効果が明らかにされるが、この実施例の記載に基づいて本発明が限定的に解釈されるべきではない。
【０１３１】
［実施例１］
１００質量部のハイシスポリブタジエン（ＪＳＲ社の商品名「ＢＲ−７３０」）、２８．５質量部のアクリル酸亜鉛、１２質量部の酸化亜鉛、適量の硫酸バリウム、０．５質量部のジフェニルジスルフィド、０．９質量部のジクミルパーオキサイド及び２質量部の安息香酸を混練し、ゴム組成物（ｉ）を得た。このゴム組成物（ｉ）を共に半球状キャビティを備えた上型及び下型からなる金型に投入し、１６５℃で２０分間加熱して、直径が３７．８０ｍｍであるコアを得た。所定の質量のコアが得られるように、硫酸バリウムの量を調整した。
【０１３２】
２６質量部のアイオノマー樹脂（前述の「ハイミランＡＭ７３３７」）、２６質量部の他のアイオノマー樹脂（前述の「ハイミランＡＭ７３２９」）、４８質量部のスチレンブロック含有熱可塑性エラストマー（前述の「ラバロンＴ３２２１Ｃ」）、４質量部の二酸化チタン及び０．２質量部の光安定剤（城北化学社の商品名「ＪＦ−９０」）を二軸混練押出機で混練し、樹脂組成物ｂを得た。それぞれが半球状キャビティを備えた上型及び下型からなる金型に、コアを投入した。樹脂組成物ｂを射出成形法にてコアの周りに被覆し、インナーカバーを形成した。このインナーカバーの厚みは、０．９５０ｍｍであった。
【０１３３】
５５質量部のアイオノマー樹脂（前述の「ハイミランＡＭ７３２９」）、４５質量部の他のアイオノマー樹脂（前述の「ハイミラン１５５５」）、４質量部の二酸化チタン及び０．２質量部の光安定剤（前述の「ＪＦ−９０」）を二軸混練押出機で混練し、樹脂組成物ｆを得た。それぞれが半球状キャビティを備えた上型及び下型からなる金型に、コア及びインナーカバーからなる球を投入した。樹脂組成物ｆを射出成形法にて球の周りに被覆し、メインカバーを形成した。このメインカバーの厚みは、１．００ｍｍであった。
【０１３４】
二液硬化型エポキシ樹脂を基材ポリマーとする塗料組成物（神東塗料社の商品名「ポリン７５０ＬＥ）を、調製した。この塗料組成物の主剤液は、３０質量部のビスフェノールＡ型エポキシ樹脂と、７０質量部の溶剤とを含む。この塗料組成物の硬化剤液は、４０質量部の変性ポリアミドアミンと、５５質量部の溶剤と、５質量部の二酸化チタンとを含む。主剤液と硬化剤液との質量比は、１／１である。この塗料組成物をメインカバーの表面にスプレーガンで塗布し、２３℃の雰囲気下で１２時間保持して、補強層を得た。この補強層の厚みは、１０μｍであった。
【０１３５】
３０質量部の熱可塑性ポリウレタンエラストマー（前述の「エラストランＮＹ８５Ａ」）、７０質量部の他の熱可塑性ポリウレタンエラストマー（前述の「エラストランＮＹ８８Ａ」）、０．２質量部の光安定剤（商品名「チヌビン７７０」）、４質量部の二酸化チタン及び０．０４質量部のウルトラマリンブルーを二軸混練押出機で混練し、樹脂組成ｉを得た。この樹脂組成物ｉから、圧縮成形法にて、ハーフシェルを得た。このハーフシェル２枚で、コア、インナーカバー及びメインカバーからなる球を被覆した。これらのハーフシェル及び球を、それぞれが半球状キャビティを備え、キャビティ面に多数のピンプル及び多数の微小凹部を備えた上型及び下型からなるファイナル金型に投入し、圧縮成形法にてカバーを得た。カバーの厚みは、０．５０ｍｍであった。カバーには、ピンプルの形状が反転した形状を有するディンプルが形成された。カバーにはさらに、微小凹部の形状が反転した形状を有する微小な凸部が形成された。
【０１３６】
このカバーの周りに二液硬化型ポリウレタンを基材とするクリアー塗料を塗装し、直径が約４２．７ｍｍであり質量が約４５．６ｇである実施例１のゴルフボールを得た。このゴルフボールの、ディンプル仕様Ｉの詳細が、下記の表５に示されている。このゴルフボールの、ディンプル及び微小突起の仕様の詳細が、下記の表６に示されている。
【０１３７】
［実施例２−７及び比較例１−７］
ディンプル及び微小突起の仕様を下記の表９−１１に示される通りとした他は実施例１と同様にして、実施例２−７及び比較例１−７のゴルフボールを得た。ディンプル及び微小突起の仕様の詳細が、下記の表５−８に示されている。
【０１３８】
［実施例８−１３及び比較例８−１４］
コア、インナーカバー、メインカバー、アウターカバー、ディンプル及び微小突起の仕様を下記の表１２−１４に示される通りとした他は実施例１と同様にして、実施例２−７及び比較例８−１４のゴルフボールを得た。コアの組成の詳細が、下記の表１に示されている。インナーカバーの組成の詳細が、下記の表２に示されている。メインカバーの組成の詳細が、下記の表３に示されている。アウターカバーの組成の詳細が、下記の表４に示されている。ディンプル及び微小突起の仕様の詳細が、下記の表５−８に示されている。
【０１３９】
［フライトテスト］
ゴルフラボラトリー社のスイングマシンに、＃５アイアンクラブ（ダンロップスポーツ社の商品名「ＳＲＩＸＯＮ  Ｚ７２５」、シャフト硬度：Ｓ、ロフト角：３２．０°）を装着した。このゴルフボールを、ヘッド速度が４１ｍ／ｓｅｃである条件で打撃して、打撃直後のスピン速度及び飛距離を測定した。飛距離は、発射地点から静止地点までの距離である。テスト時は、ほぼ無風であった。１２回の測定で得られたデータの平均値が、下記の表９−１４に示されている。
【０１４０】
［打球感］
２０名のテスターに＃５アイアンにてゴルフボールを打撃させ、打球感を聞き取った。「打球感がソフト」と答えたゴルファーの数に基づき、下記の格付けを行った。
Ａ：１６人以上
Ｂ：１０−１５人
Ｃ：３−９人
Ｄ：２人以下
この結果が、下記の表９−１４に示されている。
【０１４１】
【表１】
2019111165.tif 000003
【０１４２】
【表２】
2019111165.tif 000004
【０１４３】
【表３】
2019111165.tif 000005
【０１４４】
【表４】
2019111165.tif 000006
【０１４５】
【表５】
2019111165.tif 000007
【０１４６】
【表６】
2019111165.tif 000008
【０１４７】
【表７】
2019111165.tif 000009
【０１４８】
【表８】
2019111165.tif 000010
【０１４９】
【表９】
2019111165.tif 000011
【０１５０】
【表１０】
2019111165.tif 000012
【０１５１】
【表１１】
2019111165.tif 000013
【０１５２】
【表１２】
2019111165.tif 000014
【０１５３】
【表１３】
2019111165.tif 000015
【０１５４】
【表１４】
2019111165.tif 000016
【０１５５】
表９−１４に示されるように、各実施例のゴルフボールは、飛行性能及び打球感に優れている。この評価結果から、本発明の優位性は明らかである。
【産業上の利用可能性】
【０１５６】
本発明に係るゴルフボールは、ゴルフコースでのプレイ、ドライビングレンジでのプラクティス等に適している。
【符号の説明】
【０１５７】
２・・・ゴルフボール
４・・・コア
６・・・インナーカバー
８・・・メインカバー
１０・・・アウターカバー
１２・・・ディンプル
１４・・・ランド
１６・・・仮想球
１８・・・微小突起
２０・・・ペイント層
２２・・・凸部
２４・・・底面
【図１】
2019111165.tif 000017
【図２】
2019111165.tif 000018
【図３】
2019111165.tif 000019
【図４】
2019111165.tif 000020
【図５】
2019111165.tif 000021